(57)【要約】【課題】ショートモードの故障による不具合を防止できるリレー素子を提供する。【解決手段】  筐体１０と、それぞれ、制御信号により第１主電極と第２主電極との間の導通状態をスイッチングする２つのスイッチング素子６ａ，６ｂと、それぞれ、筐体１０の内側において第２主電極と電気的に接続され、一端が筐体１０の外側まで延伸する２つの出力端子３１ａ，３１ｂと、それぞれ、筐体１０の内側において第１主電極と電気的に接続され、一端が筐体１０の外側まで延伸する２つの補助端子３３ａ，３３ｂと、筐体１０の内側において２つの補助端子３３ａ，３３ｂの間を電気的に接続し、所定の電流値以上の電流が流れると断線する保護ワイヤ８とを備える。【選択図】図１
2013093346.tif 000002
【特許請求の範囲】
【請求項１】
筐体と、
それぞれ、制御信号により第１主電極と第２主電極との間の導通状態をスイッチングする２つのスイッチング素子と、
それぞれ、前記筐体の内側において前記第２主電極と電気的に接続され、一端が前記筐体の外側まで延伸する２つの出力端子と、
それぞれ、前記筐体の内側において前記第１主電極と電気的に接続され、一端が前記筐体の外側まで延伸する２つの補助端子と、
前記筐体の内側において前記２つの補助端子の間を電気的に接続し、所定の電流値以上の電流が流れると断線する保護ワイヤと
を備えることを特徴とするリレー素子。
【請求項２】
前記２つの補助端子のいずれかが接地電位に接続されることを特徴とする請求項１に記載のリレー素子。
【請求項３】
前記保護ワイヤが断線する電流値は前記スイッチング素子の定格電流より小さいことを特徴とする請求項１または２に記載のリレー素子。
【請求項４】
前記保護ワイヤが断線した場合、前記筐体の外側において前記２つの補助端子が電気的に接続可能であることを特徴とする請求項１〜３のいずれか１項に記載のリレー素子。
【発明の詳細な説明】
【技術分野】
【０００１】
本発明は、ショートモードの故障による不具合を防止するリレー素子に関する。
【背景技術】
【０００２】
フォトＭＯＳリレー等のリレー素子において、絶対最大定格を超える過電流が流れた場合、ＭＯＳＦＥＴ等のスイッチング素子の内部が破壊され、ショートモードの故障が生じる可能性がある（特許文献１参照）。
【先行技術文献】
【特許文献】
【０００３】
【特許文献１】特開２００９−１１７５３５号公報
【発明の概要】
【発明が解決しようとする課題】
【０００４】
ショートモードの故障が生じると、リレー素子の出力側（負荷側）の回路が常に導通状態となってしまい、リレー内部または負荷回路に発熱、発火等の不具合を生じる可能性がある。
【０００５】
本発明は、上記問題点を鑑み、ショートモードの故障による不具合を防止するリレー素子を提供することにある。
【課題を解決するための手段】
【０００６】
上記目的を達成するために、本発明の態様は、筐体と、それぞれ、制御信号により第１主電極と第２主電極との間の導通状態をスイッチングする２つのスイッチング素子と、それぞれ、前記筐体の内側において前記第２主電極と電気的に接続され、一端が前記筐体の外側まで延伸する２つの出力端子と、それぞれ、前記筐体の内側において前記第１主電極と電気的に接続され、一端が前記筐体の外側まで延伸する２つの補助端子と、前記筐体の内側において前記２つの補助端子の間を電気的に接続し、所定の電流値以上の電流が流れると断線する保護ワイヤとを備えるリレー素子であることを要旨とする。
【０００７】
また、本発明の態様に係るリレー素子においては、前記２つの補助端子のいずれかが接地電位に接続されることができる。
【０００８】
また、本発明の態様に係るリレー素子においては、前記保護ワイヤが断線する電流値は前記スイッチング素子の定格電流より小さいことができる。
【０００９】
また、本発明の態様に係るリレー素子においては、前記保護ワイヤが断線した場合、前記筐体の外側において前記２つの補助端子が電気的に接続可能であることができる。
【発明の効果】
【００１０】
本発明によれば、ショートモードの故障による不具合を防止できるリレー素子を提供することができる。
【図面の簡単な説明】
【００１１】
【図１】（ａ）は、本発明の実施の形態に係るリレー素子を説明する模式的な断面図である。（ｂ）は、本発明の実施の形態に係るリレー素子の入力側フレームを説明する模式的な平面図である。（ｃ）は、本発明の実施の形態に係るリレー素子の出力側フレームを説明する模式的な平面図である。
【図２】本発明の実施の形態に係るリレー素子の動作を説明する模式的な平面図である。
【発明を実施するための形態】
【００１２】
次に、図面を参照して、本発明の実施の形態を説明する。以下の図面の記載において、同一又は類似の部分には同一又は類似の符号を付している。但し、図面は模式的なものであり、断面図と平面寸法の関係、各層の厚みの比率等は、現実のものとは異なることに留意すべきである。したがって、具体的な厚みや寸法は以下の説明を参酌して判断すべきものである。また、図面相互間においても互いの寸法の関係や比率が異なる部分が含まれていることは勿論である。
【００１３】
また、以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された技術的範囲内において、種々の変更を加えることができる。
【００１４】
本発明の実施の形態に係るリレー素子は、図１（ａ）〜図１（ｃ）に示すように、発光素子４と、受光素子５と、スイッチング素子６ａ，６ｂとを備えるフォトＭＯＳリレーである。発光素子４は、例えば発光ダイオード（ＬＥＤ）からなる。受光素子５は、例えばシリコン太陽電池からなる。スイッチング素子６ａ、６ｂは、例えばＭＯＳＦＥＴからなる。発光素子４、受光素子５、スイッチング素子６ａ，６ｂは、それぞれ筐体１０内に設置される。
【００１５】
発光素子４は、図１（ｂ）に示すように、入力側フレームを構成する入力端子２１ａ，２１ｂの間に、ワイヤ７１を介して直列に接続される。入力端子２１ａ，２１ｂのそれぞれ一端は、筐体１０の外側まで延伸している。発光素子４は、入力端子２１ａ，２１ｂを介して入力信号を入力されることにより発光する。発光素子４が発した光は、シリコーン樹脂等の透明な光伝達部９により、受光素子５に伝達される。
【００１６】
受光素子５は、発光素子４と対向して設置され、発光素子４が発光した光を、受光部５１において受光することにより、出力電極５２ａ，５２ｂからスイッチング素子６ａ，６ｂに対する制御信号を出力する。受光素子５は、例えば接地電位となるフレームである接地端子３２に搭載され、受光素子５の接地電極５３が、接地ワイヤ７３を介して接地端子３２に電気的に接続される。
【００１７】
スイッチング素子６ａ，６ｂは、例えば、出力端子３１ａ，３１ｂにそれぞれ搭載される。出力端子３１ａ，３１ｂのそれぞれ一端は、筐体１０の外側まで延伸している。
【００１８】
スイッチング素子６ａ，６ｂのソース電極（第１主電極）６１ａ，６１ｂは、それぞれ、２つの補助端子３３ａ，３３ｂに、接地ワイヤ７４ａ，７４ｂを介して電気的に接続される。スイッチング素子６ａ，６ｂのゲート電極（制御電極）６２ａ，６２ｂは、受光素子５の出力電極５２ａ，５２ｂに、制御ワイヤ７２ａ，７２ｂを介してそれぞれ電気的に接続される。スイッチング素子６ａ，６ｂのドレイン電極（第２主電極）は、出力端子３１ａ，３１ｂにそれぞれ電気的に接続される。
【００１９】
スイッチング素子６ａ，６ｂは、それぞれ、ゲート電極６２ａ，６２ｂに入力される制御信号により、ソース電極６１ａ，６１ｂとドレイン電極（出力端子３１ａ，３１ｂ）との間の導通状態を、オンまたはオフにスイッチングする。
【００２０】
ソース電極６１ａ，６１ｂとそれぞれ接続された２つの補助端子３３ａ，３３ｂは、入力端子２１ａ，２１ｂ、出力端子３１ａ，３１ｂおよび接地端子３２と独立して設けられる。２つの補助端子３３ａ，３３ｂのいずれかは、接地ワイヤ７５を介して、接地端子３２に電気的に接続されている。補助端子３３ａ，３３ｂのそれぞれ一端は、筐体１０の外側まで延伸している。補助端子３３ａ，３３ｂは、保護ワイヤ８を介して互いに電気的に接続されている。保護ワイヤ８は、所定の電流値以上の電流が流れると断線するような電流容量を有するワイヤである。保護ワイヤ８の電流容量は、材料、線径により変更可能である。
【００２１】
保護ワイヤ８は、保護ワイヤ８の電流容量をスイッチング素子６ａ，６ｂの定格電流よりも小さな値とすることにより、過電流によるスイッチング素子６ａ，６ｂの破壊を防止することができる。また、過電流による保護ワイヤ８の断線により、本発明の実施の形態に係るリレー素子において出力端子３１ａ，３１ｂが開放されてオープンモードとなり、ショートモードの故障を防止することができる。
【００２２】
本発明の実施の形態に係るリレー素子は、図２に示すように、保護ワイヤ８が断線した場合において、補助端子３３ａ，３３ｂの間を復帰ワイヤ９が電気的に接続することにより、正常なスイッチング動作を復帰させることができる。復帰ワイヤ９は、筐体１０の外側において接続可能であるため、ユーザが容易にスイッチング動作を復帰させることができる。
【００２３】
本発明の実施の形態に係るリレー素子によれば、出力端子３１ａ，３１ｂの他に補助端子３３ａ，３３ｂを備え、保護ワイヤ８が補助端子３３ａ，３３ｂの間を接続することにより、ショートモードの故障による不具合を防止できる。また、本発明の実施の形態に係るリレー素子によれば、補助端子３３ａ，３３ｂの一端が筐体１０の外側に延伸しているので、保護ワイヤ８の断線時、容易に正常なスイッチング動作を復帰させることができる。
【００２４】
（その他の実施の形態）
上記のように、本発明の実施の形態によって記載したが、この開示の一部をなす論述および図面は本発明を限定するものであると理解すべきではない。この開示から当業者には様々な代替実施の形態、実施例および運用技術が明らかとなろう。
【００２５】
既に述べた実施の形態においては、保護ワイヤ８の断線時、補助端子３３ａ，３３ｂを接続するのは復帰ワイヤ９に限るものでなく、筐体１０の外側において補助端子３３ａ，３３ｂを電気的に接続することができればよい。
【００２６】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００２７】
６ａ，６ｂ…スイッチング素子
８…保護ワイヤ
１０…筐体
３１ａ，３１ｂ…出力端子（第２主電極）
３３ａ，３３ｂ…補助端子
６１ａ，６１ｂ…ソース電極（第１主電極）
【図１】
2013093346.tif 000003
【図２】
2013093346.tif 000004